(57)【要約】【課題】給電コードが邪魔にならず、かつバッテリの交換作業を不要とする電動リール用無接点電力伝送装置を提供する。【解決手段】本発明による電動リール用無接点電力伝送装置（１）は、電源から供給される電力を電磁誘導により送電する無接点電力送電器（ｅ）を有し、電動リール（ａ）を取り付けた釣竿（ｂ）を保持するためのロッドホルダー（ｄ）に設けられる送電装置（Ｅ）と、電動リール（ａ）を駆動するバッテリ（ｔ）と、無接点電力送電器（ｅ）から送電された電力を電磁誘導により受電し、バッテリ（ｔ）に供給する無接点電力受電器（ｆ）を有し、釣竿（ｂ）に取り付けられる受電装置（Ｆ）とを備える。【選択図】図１
2011062155.tif 000002
【特許請求の範囲】
【請求項１】
電源から供給される電力を電磁誘導により送電する無接点電力送電器を有し、電動リールを取り付けた釣竿を保持するためのロッドホルダーに設けられる送電装置と；
前記電動リールを駆動するバッテリと；
前記無接点電力送電器から送電された電力を電磁誘導により受電し、前記バッテリに供給する無接点電力受電器を有し、前記釣竿に取り付けられる受電装置とを備える；
電動リール用無接点電力伝送装置。
【請求項２】
前記受電装置と前記バッテリは、１つのモジュール内に一体的に構成される；
請求項１に記載の電動リール用無接点電力伝送装置。
【請求項３】
前記受電装置と前記バッテリは、分離して構成される；
請求項１に記載の電動リール用無接点電力伝送装置。
【請求項４】
前記無接点電力送電器は、電磁誘導により電力を送電するための一次側コイルと、前記電源から供給された電力を前記一次側コイルに供給する給電回路を有し；
前記無接点電力受電器は、電磁誘導により電力を受電するための二次側コイルと、前記二次側コイルで受電した電力を前記バッテリに供給する受電回路を有する；
請求項１ないし請求項３のいずれか１項に記載の電動リール用無接点電力伝送装置。
【請求項５】
前記一次側コイル（ｏ）と前記二次側コイル（ｑ）の位置関係を調整する位置調整機構を備える；
請求項４に記載の電動リール用無接点電力伝送装置。
【請求項６】
前記バッテリの充電を制御するバッテリ充電制御回路を有する；
請求項１ないし請求項５のいずれか１項に記載の電動リール用無接点電力伝送装置。
【発明の詳細な説明】
【技術分野】
【０００１】
本発明は電動リール用無接点電力伝送装置に関する。詳しくは、魚釣り用電動リールへの電力供給を改善する電動リール用無接点電力伝送装置に関する。
【背景技術】
【０００２】
従来の電動リールには、電力供給のために電動リールとバッテリ等の外部電源との接続に長い給電コードが必要であり、釣りをする際に給電コードが邪魔になるという問題があった（例えば特許文献１，２参照）。
【０００３】
また、電動リール専用のコードレスバッテリを装着することによって、給電コードが邪魔になる問題を回避する方法もあるが、この場合バッテリの重量があるので、容量の小さいバッテリしか使用できない。このため、バッテリを交換する作業が頻繁に発生するという問題、電力不足により電動リールの駆動が止まってしまうという問題、そのため、さらに、重量のあるバッテリの運搬や高価なコードレスバッテリをいくつも準備する必要があるという問題等があった。
【先行技術文献】
【特許文献】
【０００４】
【特許文献１】特開２００４−１２７７９２（段落０００１〜００３１、図１〜６）
【特許文献２】特開２００１−３４００４１（段落００１０〜００２２、図１〜４）
【発明の概要】
【発明が解決しようとする課題】
【０００５】
本発明は、以上のような従来の欠点に鑑み、給電コードが邪魔にならず、かつバッテリの交換作業を不要とする電動リール用無接点電力伝送装置を提供することを目的とする。
【課題を解決するための手段】
【０００６】
上記課題を解決するために、本発明の第１の態様に係る電動リール用無接点電力伝送装置（１）は、例えば図１に示すように、電源から供給される電力を電磁誘導により送電する無接点電力送電器（ｅ）を有し、電動リール（ａ）を取り付けた釣竿（ｂ）を保持するためのロッドホルダー（ｄ）に設けられる送電装置（Ｅ）と、電動リール（ａ）を駆動するバッテリ（ｔ）と、無接点電力送電器（ｅ）から送電された電力を電磁誘導により受電し、バッテリ（ｔ）に供給する無接点電力受電器（ｆ）を有し、釣竿（ｂ）に取り付けられる受電装置（Ｆ）とを備える。
【０００７】
ここにおいて、無接点電力伝送装置（１）とは、無線方式で電力を伝送する伝送装置をいい、典型的には電磁誘導が使用される。また、ロッドホルダー（ｄ）とは、釣竿（ｂ）を所定の位置（地上、桟橋、船縁等）に固定する治具をいう。本態様のように構成すると、釣竿（ｂ）に取り付けた電動リール（ａ）に連なる受電装置（Ｆ）と外部電源に連なる送電装置（Ｅ）を繋ぐコードを省略できるので、給電コードが邪魔にならない。また、ロッドホルダー（ｄ）に釣竿（ｂ）を装着している際には、無接点電力伝送装置を経由して電動リール専用のバッテリ（ｔ）への充電を可能とするので、頻繁にバッテリ（ｔ）を交換しなければならない状況から解放される。また、釣竿（ｂ）とロッドホルダー（ｄ）を繋ぐコードが無くせるので、釣り上げる際には必要に応じてロッドホルダー（ｄ）から釣竿（ｂ）を取り外し、釣竿（ｂ）を自由に移動することができる。また、送電装置（Ｅ）及び受電装置（Ｆ）に水が掛かっても、配線や接続端子が露出していないので、電気系統の腐食劣化を防止できる。
【０００８】
本発明の第２の態様に係る電動リール用無接点電力伝送装置（１）は、第１の態様に係る電動リール用無接点電力伝送装置において、例えば図１及び図３に示すように、受電装置（Ｆ）とバッテリ（ｔ）は、１つのモジュール（二次側モジュール（Ｍ２））内に一体的に構成される。このように構成すると、二次側モジュール（Ｍ２）を釣竿（ｂ）に取り付けるのが容易である。
【０００９】
本発明の第３の態様に係る電動リール用無接点電力伝送装置（１Ｂ）は、第１の態様に係る電動リール用無接点電力伝送装置において、例えば図５及び図６に示すように、受電装置（Ｆ）とバッテリ（ｔ）は、分離して構成される。このように構成すると、バッテリ（ｔ）を受電装置（Ｆ）から分離でき、例えば電動リール（ａ）の近傍に配置できる。
【００１０】
本発明の第４の態様に係る電動リール用無接点電力伝送装置（１）は、第１ないし第３のいずれかの態様に係る電動リール用無接点電力伝送装置において、例えば図３に示すように、無接点電力送電器（ｅ）は、電磁誘導により電力を送電するための一次側コイル（ｏ）と、電源から供給された電力を一次側コイル（ｏ）に供給する給電回路（ｐ）を有し、無接点電力受電器（ｆ）は、電磁誘導により電力を受電するための二次側コイル（ｑ）と、二次側コイル（ｑ）で受電した電力をバッテリ（ｔ）に供給する受電回路（ｒ）を有する。このように構成すると、一次側コイル（ｏ）と二次側コイル（ｑ）間の電磁誘導を用いて、無接点で効率的な電力伝送ができる。
【００１１】
本発明の第５の態様に係る電動リール用無接点電力伝送装置（１）は、第４の態様に係る電動リール用無接点電力伝送装置において、例えば図２に示すように、一次側コイル（ｏ）と二次側コイル（ｑ）の位置関係を調整する位置調整機構（ｇ７及びｇ９）を備える。このように構成すると、釣竿（ｂ）の種類や寸法に応じて、一次側コイル（ｏ）と二次側コイル（ｑ）の位置関係を適切に調整でき、最適な位置関係において効率の良い電力伝送を行なうことができる。
【００１２】
本発明の第６の態様に係る電動リール用無接点電力伝送装置（１）は、第１ないし第５のいずれかの態様に係る電動リール用無接点電力伝送装置において、例えば図３に示すように、受電装置（Ｆ）はバッテリ（ｔ）の充電を制御するバッテリ充電制御回路（ｓ）を有する。ここにおいて、バッテリ充電制御回路（ｓ）は、バッテリ（ｔ）の電圧監視、温度監視、電池残量算出、電圧電流制御等を行なう。本態様のように構成すると、バッテリ（ｔ）の適正な充電管理ならびにバッテリ（ｔ）の安全な取り扱いを可能にする。
【発明の効果】
【００１３】
本発明によれば、給電コードが邪魔にならず、かつバッテリの交換作業を不要とする電動リール用無接点電力伝送装置を提供することができる。
【図面の簡単な説明】
【００１４】
【図１】実施例１に係る電動リール用無接点電力伝送装置の釣竿への取り付け例を示す図である。
【図２】実施例１に係る電動リール用無接点電力伝送装置の二次側モジュール固定具の構成を模式的に示す図である。
【図３】実施例１に係る電動リール用無接点電力伝送装置の電気系構成例を示すブロック図である。
【図４】実施例２に係る電動リール用無接点電力伝送装置の電気系構成例を示すブロック図である。
【図５】実施例３に係る電動リール用無接点電力伝送装置の釣竿への取り付け例を示す図である。
【図６】実施例３に係る電動リール用無接点電力伝送装置の電気系構成例を示すブロック図である。
【図７】実施例４に係る電動リール用無接点電力伝送装置の電気系構成例を示すブロック図である。
【発明を実施するための形態】
【００１５】
以下に図面に基づき本発明の実施の形態について説明する。尚、各図において、互いに同一又は相当する部分には同一符号を付し、重複した説明は省略する。
【実施例１】
【００１６】
実施例１では、受電装置（Ｆ）とバッテリ（ｔ）は、１つのモジュール（二次側モジュール（Ｍ２））内に一体的に構成される例を説明する。また、交流電源から電力を取得する例を説明する。
【００１７】
図１に本発明の実施例１に係る電動リール用無接点電力伝送装置（１）の釣竿への取り付け例を示す。本実施例では船釣りに使用される例を説明する。電動リール（ａ）は釣竿（ロッド）（ｂ）に取り付けられ、船体（ｃ）の船縁にロッドホルダー（ｄ）を設置し、釣竿（ｂ）はロッドホルダー（ｄ）により船体（ｃ）に固定される。釣竿（ｂ）は多段の竿管が延伸する構成で、最外管がロッドホルダー（ｄ）に着脱可能に保持される。ロッドホルダー（ｄ）は、例えば、それ自体を船体（ｃ）に固定するための固定部（ｄ１）と釣竿（ｂ）を着脱可能に保持する保持部（ｄ２）からなり、保持部（ｄ２）は固定部（ｄ１）に対して回動軸（ｄ３）の回りに回動可能になっている。釣竿（ｂ）をロッドホルダー（ｄ）に装着するには、例えば、保持部（ｄ２）を筒状に構成し、最外管を保持部（ｄ２）の筒内に差込み、レバー等で保持部（ｄ２）に固定する。また例えば、保持部（ｄ２）を最外管が嵌合可能な弾力性のある溝状に構成し、最外管を保持部（ｄ２）の溝内に差込み、嵌合して固定する。このように、ロッドホルダー（ｄ）は、釣竿（ｂ）の最外管を保持部（ｄ２）に着脱可能に保持する。また、固定部（ｄ１）から船外側に突き出た支持部（ｄ４）に最外管を載置して支持する。例えば、支持部（ｄ４）を二股状に構成し、最外管を二股の谷に載置して支持する。また、電動リール（ａ）は、最外管の支持部（ｄ４）により支持される位置より船外側に装着される。釣竿（ｂ）の竿管を船外方向に延伸すると、電動リールのスプールに巻かれた釣糸は釣竿（ｂ）に添って釣竿（ｂ）の穂先まで延伸する。釣糸はさらに釣竿（ｂ）の穂先から釣針まで連なる。電動リール（ａ）は電力を用いて釣糸の巻き取りを行なう。
【００１８】
電動リール用無接点電力伝送装置（１）は、ロッドホルダー（ｄ）に設けられる一次側モジュール（Ｍ１）と釣竿（ｂ）に取り付けられる二次側モジュール（Ｍ２）とを備える（図３参照）。一次側モジュール（Ｍ１）は送電装置（Ｅ）により構成され、送電装置（Ｅ）は電源から供給される電力を電磁誘導により送電する無接点電力送電器（ｅ）を有する。二次側モジュール（Ｍ２）は受電装置（Ｆ）とバッテリモジュール（Ｖ）により構成される。バッテリモジュール（Ｖ）は電動リール（ａ）を駆動するバッテリ（ｔ）を有し、受電装置（Ｆ）は、無接点電力送電器（ｅ）から送電された電力を電磁誘導により受電し、バッテリ（ｔ）に供給する無接点電力受電器（ｆ）を有する。すなわち、本実施例では、バッテリ（ｔ）と無接点電力受電器（ｆ）が二次側モジュール（Ｍ２）内に一体的に構成される。図１では一次側モジュール（Ｍ１）はロッドホルダー（ｄ）に内蔵されている。例えばロッドホルダー（ｄ）に一次側モジュール（Ｍ１）を収納できる、周囲が絶縁体でコートされた直方体の空間を設け、一次側モジュール（Ｍ１）を収納した後に絶縁体の蓋で内部に閉じ込めれば良い。なお、内蔵せずに、一次側モジュール（Ｍ１）の周囲を絶縁体の一次側モジュール保護材でカバーした後にロッドホルダー（ｄ）に取り付けても良い。
【００１９】
船内に搭載された図示しない電源から電源コード（ｉ）を通して一次側モジュール（Ｍ１）に電力が供給される。電源として例えば１００Ｖや２００Ｖの発電機（交流）が使用される。一次側モジュール（Ｍ１）の無接点電力送電器（ｅ）と二次側モジュール（Ｍ２）の無接点電力受電器（ｆ）は対向して設置され、無接点電力送電器（ｅ）から無接点電力受電器（ｆ）に電磁誘導により電力が伝送される。一次側コイル（ｏ）と二次側コイル（ｑ）間の距離は、無接点電力伝送を効率的に行なえる距離で１０ｍｍ以下が好ましく、５ｍｍ以下がより好ましい。また、一次側モジュール（Ｍ１）と二次側モジュール（Ｍ２）とは密着した状態で配置されるが、両者共絶縁体で覆われているので、一次側コイル（ｏ）と二次側コイル（ｑ）の距離は例えば０．５〜１０ｍｍ程度となる。
【００２０】
また、二次側モジュール（Ｍ２）は、二次側モジュール固定具（ｇ）を用いて、釣竿（ｂ）の最外管の保持部（ｄ２）に保持された位置と支持部（ｄ４）に支持された位置の間に固定される。ロッドホルダー（ｄ）及び釣竿（ｂ）の形状・寸法によりロッドホルダー（ｄ）と釣竿（ｂ）との距離が異なるため、二次側モジュール固定具（ｇ）は一次側モジュール（Ｍ１）と二次側モジュール（Ｍ２）との位置関係を適切に調整可能な構造となっている。また、使用者の邪魔にならないように、二次側モジュール（Ｍ２）を最外管の下側に設置するのが好適である。二次側モジュール固定具（ｇ）の構造については後述する。また、電動リール（ａ）への電力は二次側モジュール（Ｍ２）からバッテリコード（ｈ）を通して供給される。バッテリコード（ｈ）はバッテリコード固定具（ｈ１）により釣竿（ｂ）に固定される。バッテリ（ｔ）には例えばリチウムイオンバッテリが使用される。リチウムイオンバッテリは携帯電話機等に使用されており、小型軽量に構成可能であり、電動リール用としても好適である。
【００２１】
電動リール（ａ）の駆動が必要なのは主として釣糸の巻き取り時であり、通常は釣糸の巻き取り時にはロッドホルダー（ｄ）に釣竿（ｂ）を装着しており、バッテリ（ｔ）への蓄電を継続できる。一次側モジュール（Ｍ１）から二次側モジュール（Ｍ２）への無接点電力伝送は、釣竿（ｂ）がロッドホルダー（ｄ）に装着されている場合、すなわち、一次側モジュール（Ｍ１）と二次側モジュール（Ｍ２）との位置関係が一定範囲以内にある場合のみ行われる。ロッドホルダー（ｄ）から釣竿（ｂ）が離脱された場合、すなわち、一次側モジュール（Ｍ１）と二次側モジュール（Ｍ２）が一定距離以上離れた場合は一次側モジュール（Ｍ１）から二次側モジュール（Ｍ２）への電力供給をストップする。この例では、一定距離とは釣竿（ｂ）の装着、離脱が検出される距離に該当する。一定距離は後述する釣竿着脱検出回路（ｐ２）で設定される閾値により定まるが、例えば一次側モジュール（Ｍ１）と二次側モジュール（Ｍ２）の間隔が３ｍｍになるように設定される。このような場合には、二次側モジュール（Ｍ２）に蓄えられた電力のみで電動リール（ａ）を駆動する。
【００２２】
図２に電動リール用無接点電力伝送装置の二次側モジュール固定具（ｇ）の構成を模式的に示す。二次側モジュール（Ｍ２）は二次側モジュール固定具（ｇ）により釣竿（ｂ）に固定される。二次側モジュール固定具（ｇ）は釣竿把持具（ｇ１）で釣竿（ｂ）を把持する。釣竿把持具（ｇ１）は、例えば円筒を半分に切断した２つの半円筒状の固定具を対向させて、釣竿（ｂ）の任意の位置に合わせて押圧把持する。二次側モジュール固定ねじ（ｇ２）を例えば第１の調整具（ｇ３）内で回転可能（第１の調整具（ｇ３）に対して横方向に相対的に移動しない）にして貫通させ、釣竿把持具（ｇ１）に穿孔したねじ穴内に挿し込んで締め付けることにより、釣竿（ｂ）を把持する。釣竿把持具（ｇ１）の内側にはクッションゴム（ｇ４）を貼り付けてあり、船揺れや衝撃による振動の釣竿（ｂ）への伝導を緩衝する。また、例えば、位置調整ねじ（高さ方向）（ｇ７）と懸垂棒（ｇ５）をクッションばね（ｇ６）で連結し、位置調整ねじ（高さ方向）（ｇ７）を第１の調整具（ｇ３）に穿孔したねじ穴に挿し込んで、かかる連結体を第１の調整具（ｇ３）に対して、回転可能かつ高さ方向に移動可能に挿入する。位置調整ねじ（高さ方向）（ｇ７）を用いてクッションばね（ｇ６）を介して懸垂棒（ｇ５）を下方に押し、懸垂棒（ｇ５）の位置を調整することにより、懸垂棒（ｇ５）に連なる第２の調整具（ｇ８）の高さを調整し、第２の調整具（ｇ８）に連なる二次側モジュール（Ｍ２）の高さを調整する。懸垂棒（ｇ５）は第２の調整具（ｇ８）内で回転可能で、第２の調整具（ｇ８）に対して高さ方向に相対的に移動しない。クッションばね（ｇ６）は二次側モジュール（Ｍ２）をロッドホルダー（ｄ）に押し付けて、一次側モジュール（Ｍ１）と二次側モジュール（Ｍ２）を密着させると共に、船揺れによる振動や衝撃を緩衝するために用いられる。二次側モジュール（Ｍ２）がロッドホルダー（ｄ）に接触するまでは、クッションばね（ｇ６）は一定の長さに保たれ、位置調整ねじ（高さ方向）（ｇ７）の移動量と懸垂棒（ｇ５）の移動量が一致する。また、位置調整ねじ（横方向）（ｇ９）を第２の調整具（ｇ８）内で回転可能（第２の調整具（ｇ８）に対して横方向に相対的に移動しない）にして貫通させ、二次側モジュール（Ｍ２）の側面に穿孔したねじ穴に挿し込んで、二次側モジュール（Ｍ２）の横方向の位置を調整すると共に、二次側モジュール（Ｍ２）を懸垂する。位置調整ねじ（横方向）（ｇ９）を調整することにより二次側モジュール（Ｍ２）と第２の調整具（ｇ８）の距離が定まり、２つの第２の調整具（ｇ８）の間隔が定まり、これにより、２つの第１の調整具（ｇ３）の間隔が定まり、２つの釣竿把持具（ｇ１）の間隔が定まるので、２つの二次側モジュール固定ねじ（ｇ２）を締め付けることにより釣竿把持具（ｇ１）で釣竿（ｂ）をしっかり把持でき、二次側モジュール（Ｍ２）を釣竿（ｂ）に固定することが可能である。さらに、釣竿（ｂ）をロッドホルダー（ｄ）に装着し、２つの位置調整ねじ（横方向）（ｇ９）を調整することにより、二次側モジュール（Ｍ２）を横方向にスライドさせて、一次側モジュール（Ｍ１）の真上に来るように調整し、位置調整ねじ（横方向）（ｇ９）を締め付けて固定する。その後、ロッドホルダー（ｄ）に二次側モジュール（Ｍ２）を密着させるように、位置調整ねじ（高さ方向）（ｇ７）を調整し、クッションばね（ｇ６）を効かせて懸垂棒（ｇ５）を押し付けて、二次側モジュール（Ｍ２）を一次側モジュール（Ｍ１）の真上に固定する。このように、釣竿（ｂ）の長手方向に垂直な横方向については、位置調整ねじ（高さ方向）（ｇ７）及び位置調整ねじ（横方向）（ｇ９）により一次側コイル（ｏ）と二次側コイル（ｑ）の位置関係を調整する位置調整機構が構成される。なお、釣竿（ｂ）の長手方向については、二次側モジュール固定具（ｇ）の釣竿把持具（ｇ１）を少し緩めて二次側モジュール固定具（ｇ）を釣竿（ｂ）の最外管に沿ってスライドさせることにより、把持位置を調整することが可能である。また、一次側モジュール（Ｍ１）はロッドホルダー（ｄ）内に埋め込まれ、二次側モジュール（Ｍ２）は二次側モジュール保護材（ｆ１）により覆われて、一次側モジュール（Ｍ１）及び二次側モジュール（Ｍ２）の配線や端子等の電気系統が水に触れないようになっており、電気系統の腐食を防止している。二次側モジュール保護材（ｆ１）として、例えばポリエチレンやゴム等の絶縁性で衝撃吸収性のある材料がコートされる。
【００２３】
図２は、二次側モジュール固定具の一例であり、以下の条件を満たせば他の構造のものでもよい。（ａ）釣竿を任意の位置に固定できること（釣竿の形状に応じて使用者の使いやすい任意の位置に固定できれば良い）、（ｂ）二次側モジュールをスライド（横方向）させて固定できること、（ｃ）高さ方向を調整できること、（ｄ）ばね等にてサスペンション構造をもたせていること（サスペンション構造により高さ方向については二次側モジュールを一次側モジュールに押し付けて密着させて固定でき、また、衝撃、振動を緩衝できる効果もある）、（ｅ）二次側モジュール（及び、ロッドホルダー上部）に衝撃吸収のある材料を用いること、である。
【００２４】
図３は実施例１に係る電動リール用無接点電力伝送装置（１）の電気系構成例を示すブロック図である。電動リール用無接点電力伝送装置（１）は送電装置（Ｅ）、バッテリ（ｔ）及び受電装置（Ｆ）を備える。バッテリ（ｔ）はバッテリモジュール（Ｖ）内に構成され、電動リール（ａ）を駆動する。送電装置（Ｅ）は、電源から供給される電力を電磁誘導により送電する無接点電力送電器（ｅ）を有し、一次側モジュール（Ｍ１）内に構成される。受電装置（Ｆ）は、無接点電力送電器（ｅ）から送電された電力を電磁誘導により受電し、バッテリ（ｔ）に供給する無接点電力受電器（ｆ）を有し、バッテリモジュール（Ｖ）と共に二次側モジュール（Ｍ２）内に構成される。電動リール用無接点電力伝送装置（１）への電力供給は、例えば、船体（ｃ）に設置されているＡＣ１００Ｖの発電機からＡＣ電源コンセント（ｊ）を通して行われ、ＡＣアダプタ（ｋ）にて例えば２０ＶのＤＣ電圧に変換され、一次側モジュール（Ｍ１）に供給される。
【００２５】
一次側モジュール（Ｍ１）は、送電回路（ｐ）と一次側コイル（ｏ）で構成される無接点電力送電器（ｅ）、金属異物検出回路（ｐ１）、釣竿着脱検出回路（ｐ２）及び送電制御回路（ｐ３）を有する。送電回路（ｐ）はＡＣアダプタ（ｋ）で変換されたＤＣ電圧を入力して、一次側コイル（ｏ）に電磁誘導に適切な周波数、電圧の交流電力を供給する。例えば１００ｋＨｚ〜３００ｋＨｚ、１０〜２０Ｖの交流電力を供給する。直流から交流への変換は例えばインバータを用い、インバータのスイッチング用半導体素子（ＩＧＢＴ：絶縁ゲート型バイポーラトランジスタ等）のスイッチングタイミングを制御して行なう。又は、例えばＬＣ型の発振回路（クラップ発振回路、ハートレー発振回路等）を有し、高周波を生成して一次側コイル（ｏ）に供給しても良い。また、送電回路（ｐ）は一次側コイル（ｏ）への出力を開閉する送電スイッチを有し、釣竿（ｂ）がロッドホルダー（ｄ）に装着されたことが検出された場合には、送電スイッチを閉じて無接点電力送電器（ｅ）から無接点電力受電器（ｆ）への送電を行い、釣竿（ｂ）がロッドホルダー（ｄ）から離脱されたことが検出された場合、一次側コイル（ｏ）と二次側コイル（ｑ）の間に金属異物が検出された場合には送電スイッチを開いて無接点電力送電器（ｅ）から無接点電力受電器（ｆ）への送電を停止する。
【００２６】
金属異物検出回路（ｐ１）は、一次側モジュール（Ｍ１）と二次側モジュール（Ｍ２）の間に金属異物が挿入された場合に、これを検出する回路である。一次側モジュール（Ｍ１）と二次側モジュール（Ｍ２）の間に金属異物が挿入された場合に、金属異物の発熱による電動リール用無接点電力伝送装置（１）への損傷を避けるために、無接点電力送電器（ｅ）から無接点電力受電器（ｆ）への送電を停止するためである。例えば、受電装置（Ｆ）側の負荷の大きさにより一次側コイル（ｏ）に誘起される電圧の振幅の変化を利用する。受電装置（Ｆ）側の負荷が大きいときは、一次側コイル（ｏ）に誘起される電圧の振幅が増大し、受電装置（Ｆ）側の負荷が小さくなれば、一次側コイル（ｏ）に誘起される電圧の振幅は小さくなる。また、バッテリ（ｔ）が正常に充電されれば、時間経過と共に、受電装置（Ｆ）側の負荷は徐々に減少していくので、一次側コイル（ｏ）に誘起される電圧の振幅は徐々に小さくなる。これに対して、金属異物が挿入された場合には、突然、受電装置（Ｆ）側の負荷が変化する（典型的には過負荷になる）ので、一次側コイル（ｏ）に誘起される電圧の振幅の突然の変化を検出することにより、金属異物の挿入を検出できる。
【００２７】
釣竿着脱検出回路（ｐ２）は、釣竿（ｂ）がロッドホルダー（ｄ）に装着されたこと、離脱されたことを検出する回路である。釣竿（ｂ）がロッドホルダー（ｄ）に装着された時に無接点電力送電器（ｅ）から無接点電力受電器（ｆ）への送電を行い、釣竿（ｂ）がロッドホルダー（ｄ）から離脱された時に無接点電力送電器（ｅ）から無接点電力受電器（ｆ）への送電を停止するためである。釣竿（ｂ）の装着時には、二次側モジュール（Ｍ２）がロッドホルダー（ｄ）に密着した状態で配置され、一次側コイル（ｏ）と二次側コイル（ｑ）が至近距離に対向して配置された位置関係にある。送電停止時に、一次側コイル（ｏ）に二次側コイル（ｑ）が近付くと、一次側コイル（ｏ）における磁界の状態変化に応じて一次側コイル（ｏ）に誘起される電圧の振幅が急に大きくなる。この電圧の振幅が予め定められた閾値を超えた時に、釣竿（ｂ）がロッドホルダー（ｄ）に装着されたことを検出できる。また、送電中に一次側コイル（ｏ）から二次側コイル（ｑ）が遠のくと、一次側コイル（ｏ）に誘起される電圧の振幅が急に小さくなる。この電圧の振幅が予め定められた閾値を下回った時に、釣竿（ｂ）がロッドホルダー（ｄ）から離脱されたことを検出できる。閾値は例えば一次側モジュール（Ｍ１）と二次側モジュール（Ｍ２）の間隔が３ｍｍになるように設定される。
【００２８】
送電制御回路（ｐ３）は、送電回路（ｐ）、金属異物検出回路（ｐ１）、釣竿着脱検出回路（ｐ２）を制御する。金属異物検出回路（ｐ１）で金属異物が検出された場合には送電回路内の一次側コイル（ｏ）への出力を開閉する送電スイッチを開けて無接点電力送電器（ｅ）から無接点電力受電器（ｆ）への送電を停止する。また、釣竿検出回路（ｐ２）で釣竿（ｂ）がロッドホルダー（ｄ）に装着されたことが検出された場合には送電スイッチを閉じて無接点電力送電器（ｅ）から無接点電力受電器（ｆ）への送電を行い、釣竿（ｂ）がロッドホルダー（ｄ）から離脱されたことが検出された場合には送電スイッチを開けて無接点電力送電器（ｅ）から無接点電力受電器（ｆ）への送電を停止する。また、送電回路（ｐ）を制御して、無接点電力送電器（ｅ）から無接点電力受電器（ｆ）への供給電力を調整する。なお、送電スイッチを送電回路（ｐ）に設ける代わりに送電制御回路（ｐ３）に設けても良い。また、無接点電力送電器（ｅ）から無接点電力受電器（ｆ）への送電を監視し、送電電力が所定の値を超えない（例えば外部への電波漏れを抑制する）ように制御する。
【００２９】
二次側モジュール（Ｍ２）は、二次側コイル（ｑ）、受電回路（ｒ）で構成される無接点電力受電器（ｆ）、位置検出回路（ｒ１）、充電状態検出回路（ｒ２）及び給電制御回路（ｒ３）を有する受電装置（Ｆ）と、充電制御回路（ｓ）、リチウムイオンバッテリ（ｔ）を有するバッテリモジュール（Ｖ）とで構成される。本実施例では受電装置（Ｆ）とバッテリモジュール（Ｖ）が１つの筐体内に一体化構成されている。また、一次側モジュール（Ｍ１）と二次側モジュール（Ｍ２）は分離構成されており、一次側コイル（ｏ）と二次側コイル（ｑ）の間で電磁誘導により無接点電力伝送が行なわれる。
【００３０】
受電回路（ｒ）は、二次側コイル（ｑ）に誘起される交流の誘起電圧をバッテリ（ｔ）に供給するための直流電圧に変換し、バッテリ（ｔ）に供給する。この変換は受電回路（ｒ）内の整流回路により行われる。この整流回路は例えばダイオードブリッジを有し、その出力はコンデンサにより平滑化されて、給電制御回路（ｒ３）を通してバッテリモジュール（Ｖ）に供給される。また、受電回路（ｒ）はバッテリモジュール（Ｖ）に連なる給電制御回路（ｒ３）への出力を開閉する給電スイッチを有し、バッテリ（ｔ）が満充電状態にあることが検出された場合には、給電スイッチを開いてバッテリ（ｔ）への出力を停止し、バッテリ（ｔ）が満充電状態にないことが検出された場合には、給電スイッチを閉じてバッテリ（ｔ）への出力を行なう。このようにバッテリ（ｔ）への給電を可能な時に少しずつ効率的に行なう。
【００３１】
位置検出回路（ｒ１）は、操作者が一次側コイル（ｏ）に対して二次側コイル（ｑ）のコイル面内の位置合せを行ない、一次側コイル（ｏ）の直上に二次側コイル（ｑ）が来るように調整するための回路である。二次側コイル（ｑ）に誘起される誘起電圧は一次側コイル（ｏ）と二次側コイル（ｑ）の軸が一致した時に最大になる。したがって、釣竿（ｂ）の長手方向については、二次側モジュール固定具（ｇ）の釣竿把持具（ｇ１）の把持位置を調整することにより、誘起電圧が最大になるように一次側コイル（ｏ）と二次側コイル（ｑ）の位置合せを行なうことができる。また、長手方向に垂直な横方向については、ロッドホルダー（ｄ）の位置調整ねじ（横方向）（ｇ９）を調整して誘起電圧が最大になるように二次側コイル（ｑ）の位置を位置決めすることにより、一次側コイル（ｏ）と二次側コイル（ｑ）の位置合せを行なうことができる。このようにして、一次側コイル（ｏ）と二次側コイル（ｑ）の位置関係を最適に位置決めすることができる。
【００３２】
充電状態検出回路（ｒ２）は、バッテリ（ｔ）の充電状態を検出する。例えば、受電回路（ｒ）からバッテリモジュール（Ｖ）への出力端子における電圧を、バッテリ（ｔ）の電池電圧を予測するために検出する。例えば、バッテリ（ｔ）の電池残量と出力端子における電圧の関係を示す表をメモリに有し、充電状態を予測する。また、バッテリモジュール（Ｖ）からバッテリ（ｔ）への充電電流の時間積分値を取得し、バッテリ（ｔ）の充電状態を予測しても良く、バッテリモジュール（Ｖ）から充電状態の情報を直接取得しても良い。これにより、給電制御回路（ｒ３）において、満充電状態か否かの判定が可能になる。
【００３３】
給電制御回路（ｒ３）は、受電回路（ｒ）、位置検出回路（ｒ１）、充電状態検出回路からの情報により受電回路（ｒ）内のバッテリ（ｔ）への出力を開閉する給電スイッチを制御する。充電状態検出回路（ｒ２）においてバッテリ（ｔ）が満充電状態にあることが検出された場合には、給電スイッチを開いてバッテリ（ｔ）への出力を停止し、バッテリ（ｔ）が満充電状態にないことが検出された場合には、給電スイッチを閉じてバッテリ（ｔ）への出力を行なう。給電スイッチから出力される電力は例えば給電制御回路（ｒ３）をそのまま通過してバッテリモジュール（Ｖ）に供給される。なお、給電スイッチを受電回路（ｒ）に設ける代わりに給電制御回路（ｒ３）に設けても良い。
【００３４】
バッテリモジュール（Ｖ）はバッテリ（２次電池）（ｔ）とバッテリ（ｔ）の充電制御を行う充電制御回路（ｓ）を有する。バッテリ（ｔ）としてリチウムイオンバッテリを使用できる。リチウムイオンバッテリ（ｔ）は、例えば３．７Ｖのリチウムイオン電池を４段直列接続して１４．８Ｖの電圧を供給する。電動リールの駆動電流は、スプールの巻上速度に応じて１〜２０Ａと可変である。リチウムイオンバッテリ（ｔ）に蓄積された電力は、バッテリコード（ｈ）を通して電動リール（ａ）へと供給される。
【００３５】
充電制御回路（ｓ）は、バッテリ（２次電池）（ｔ）の保護機能全般（電圧監視・温度監視・電池残量算出・電圧電流制御等）を有する。例えば、バッテリ（ｔ）の電池残量と電池電圧の関係を示す表を有し、電池電圧を検出して電池残量を求める。これに代えて又は併行して、バッテリ（ｔ）への充放電電流の時間積分値からバッテリ（ｔ）の充電状態を検出する。また、過充電防止機能と再充電機能を有する。過充電防止機能は、満充電になると、充電制御回路（ｓ）の充電スイッチをオフして給電を止める。再充電機能は、満充電後に、バッテリの電池電圧が低下して所定の閾値よりも下がると、充電制御回路（ｓ）の充電スイッチをオンして再充電を開始する。ここで、過充電防止と再充電は例えば電圧制御又は／及び電流制御により行なわれる。なお、充電スイッチを設ける代わりに、過充電防止と再充電に受電回路（ｒ）の給電スイッチを使用しても良い。
【００３６】
以上の構成により、二次側モジュール（Ｍ２）では、２次側コイル（ｑ）の誘起電圧から生成される電力を用いて、バッテリ（ｔ）に蓄電する。バッテリ（ｔ）に蓄電された電力は電動リール（ａ）に供給される。
【００３７】
以上により、本実施例によれば、給電コードが邪魔にならず、かつバッテリの交換作業を不要とする電動リール用無接点電力伝送装置を提供することができる。
【実施例２】
【００３８】
実施例１では電動リール用無接点電力伝送装置（１）は交流電源から電力を取得する例を説明したが、実施例２では、直流電源から電力を取得する例ついて説明する。主として実施例１と異なる点について説明する。
【００３９】
図４は本発明の実施例２に係る電動リール用無接点電力伝送装置（１Ａ）の電気系構成例を示すブロック図である。実施例１（図３参照）のＡＣ電源コンセント（ｊ）とＡＣアダプタ（ｋ）の代わりにＤＣ電源（ｎ）が設けられ、一次側モジュール（Ｍ１Ａ）において、送電装置（ＥＡ）に昇圧降圧回路（ｐ４）が追加されている。例えば、船体（ｃ）に設置されている１２Ｖ又は２４ＶのバッテリであるＤＣ電源（ｎ）から、送電装置（ＥＡ）の昇圧降圧回路（ｐ４）を介して電力を得る。昇圧降圧回路（ｐ４）はＤＣ電源（ｎ）の出力電圧を例えばＤＣ２０Ｖに昇圧又は降圧する。昇圧の場合には例えばチャージポンプ方式を用いる。降圧の場合には例えば抵抗を用いてＤＣ電源（ｎ）の出力電圧を分圧する。その他の構成は実施例１と同様であり、同様な効果を奏する。
【実施例３】
【００４０】
実施例１では、受電装置（Ｆ）とバッテリ（ｔ）は、１つのモジュール（二次側モジュール）（Ｍ２）内に一体的に構成される例を説明したが、実施例３では、受電装置（Ｆ）とバッテリ（ｔ）は、分離して構成される例を説明する。主として実施例１と異なる点について説明する。
【００４１】
図５に本発明の実施例３に係る電動リール用無接点電力伝送装置（１Ｂ）の釣竿への取り付け例を示す。本実施例では船釣りに使用される例を説明する。本実施例では、無接点電力受電器（ｆ）を有する受電装置（Ｆ）とバッテリ（ｔ）を有するバッテリモジュール（ＶＢ）とが分離して構成される。本実施例では、二次側モジュール（Ｍ２Ｂ）は受電装置（Ｆ）を有するがバッテリモジュール（ＶＢ）を有しない。二次側モジュール（Ｍ２Ｂ）は、二次側モジュール固定具（ｇ）により釣竿（ｂ）の最外管の保持部（ｄ２）に保持された位置と支持部（ｄ４）に支持された位置の間に固定される。ロッドホルダー（ｄ）及び釣竿（ｂ）の形状・寸法により、ロッドホルダー（ｄ）と釣竿（ｂ）との距離が異なるため、二次側モジュール固定具（ｇ）は一次側モジュール（Ｍ１）と二次側モジュール（Ｍ２Ｂ）との位置関係を適切に調整可能な構造となっている。バッテリモジュール（ＶＢ）は例えば電動リール（ａ）に直接取り付けられる。バッテリモジュール（ＶＢ）への電力供給は二次側モジュール（Ｍ２Ｂ）からバッテリコード（ｗ）を通して行われ、バッテリモジュール（ＶＢ）内のバッテリ（ｔ）を充電する。バッテリ（ｔ）としてリチウムイオンバッテリを使用できる。電動リール（ａ）にはそれ自体に取り付けられたバッテリモジュール（ＶＢ）から電力が供給される。その他の構成は実施例１と同様である。
【００４２】
一次側モジュール（Ｍ１）から二次側モジュール（Ｍ２Ｂ）への無接点電力伝送は、釣竿（ｂ）がロッドホルダー（ｄ）に装着されている場合、すなわち、一次側モジュール（Ｍ１）と二次側モジュール（Ｍ２Ｂ）の位置関係が一定範囲以内にある場合のみ行われる。ロッドホルダー（ｄ）から釣竿（ｂ）が離脱された場合、すなわち、一次側モジュール（Ｍ１）と二次側モジュール（Ｍ２Ｂ）が一定距離以上離れた場合は一次側モジュール（Ｍ１）から二次側モジュール（Ｍ２Ｂ）への電源供給をストップし、バッテリモジュール（ＶＢ）に蓄えられた電力のみで電動リール（ａ）を駆動する。
【００４３】
図６は実施例３に係る電動リール用無接点電力伝送装置（１Ｂ）の電気系構成例を示すブロック図である。電動リール用無接点電力伝送装置（１Ｂ）は送電装置（Ｅ）、バッテリ（ｔ）及び受電装置（Ｆ）を備える。送電装置（Ｅ）及び受電装置（Ｆ）の構成は実施例１と同様であり、それぞれ、一次側モジュール（Ｍ１）及び二次側モジュール（Ｍ２Ｂ）内に構成される。ただし、バッテリ（ｔ）は二次側モジュール（Ｍ２Ｂ）と分離されたバッテリモジュール（ＶＢ）内に構成される。二次側モジュール（Ｍ２Ｂ）内の受電装置（Ｆ）の構成は受電装置（Ｆ）からの出力が二次側モジュール（Ｍ２Ｂ）外のバッテリモジュール（ＶＢ）に入力される点を除いて実施例１と同様である。バッテリモジュール（ＶＢ）は、充電制御回路（ｓ）とリチウムイオンバッテリ（ｔ）で構成される。充電制御回路（ｓ）及びリチウムイオンバッテリ（ｔ）の構成は実施例１と同様である。受電装置（Ｆ）とバッテリモジュール（ＶＢ）とはバッテリコード（ｗ）により接続されている（図５参照）。その他の構成は実施例１と同様であり、同様な効果を奏する。
【実施例４】
【００４４】
実施例３では電動リール用無接点電力伝送装置（１Ｂ）は交流電源から電力を取得する例を説明したが、実施例４では、直流電源から電力を取得する例ついて説明する。主として実施例３と異なる点について説明する。
【００４５】
図７は本発明の実施例４に係る電動リール用無接点電力伝送装置(１Ｃ)の電気系構成例を示すブロック図である。実施例３（図６参照）のＡＣ電源コンセント（ｊ）とＡＣアダプタ（ｋ）の代わりにＤＣ電源（ｎ）が設けられ、一次側モジュール（Ｍ１Ａ）において、送電装置（ＥＡ）に昇圧降圧回路（ｐ４）が追加されている。例えば、船体（ｃ）に設置されている１２Ｖ又は２４ＶのバッテリであるＤＣ電源（ｎ）から、送電装置（ＥＡ）の昇圧降圧回路（ｐ４）を介して電力を得る。昇圧降圧回路（ｐ４）はＤＣ電源（ｎ）の出力電圧を例えばＤＣ２０Ｖに昇圧又は降圧する。昇圧の場合には例えばチャージポンプ方式を用いる。降圧の場合には例えば抵抗を用いてＤＣ電源（ｎ）の出力電圧を分圧する。その他の構成は実施例３と同様であり、同様な効果を奏する。
【００４６】
以上、本実施の形態について説明したが、本発明はこれらの実施の形態に限られるものではなく、本発明の趣旨を逸脱しない範囲で、実施の形態に種々の変更を加えられることは明白である。
【００４７】
例えば、以上の実施例では船釣の例を説明したが、磯釣、渓流釣でも良い。また、以上の実施例ではではロッドホルダーが万力のように船縁を締め付けて船縁に固定される例を説明したが、ベルト等で杭等に固定するものでも良い。また、以上の実施例ではでは一次コイル、二次コイルが１つの例を説明したが、複数のコイル対を並列に用いても良く、コイルの巻数も任意に設定可能である。また、以上の実施例で説明した各回路の構成は記載例に限られず、同様な機能を有する他の構成の回路に置換可能である。
【産業上の利用可能性】
【００４８】
本発明は電動リールへの電力供給に利用できる。
【符号の説明】
【００４９】
１，１Ａ〜１Ｃ  電動リール用無接点電力伝送装置
ａ    電動リール
ｂ    釣竿
ｃ    船体
ｄ    ロッドホルダー
ｄ１  固定部
ｄ２  保持部
ｄ３  回動軸
ｄ４  支持部
Ｅ，ＥＡ  一次側モジュール（送電装置）
ｅ    無接点電力送電器
Ｆ    二次側モジュール（受電装置）
ｆ    無接点電力受電器
ｆ１  二次側モジュール保護材
ｇ    二次側モジュール固定具
ｇ１  釣竿釣竿把持具
ｇ２  二次側モジュール固定ねじ
ｇ３  第１の調整具
ｇ４  クッションゴム
ｇ５  懸垂棒
ｇ６  クッションばね
ｇ７  位置調整ねじ（高さ方向）
ｇ８  第２の調整具
ｇ９  位置調整ねじ（横方向）
ｈ    バッテリコード
ｈ１  バッテリコード固定具
ｉ    電源コード
ｊ    ＡＣ電源コンセント
ｋ    ＡＣアダプタ
Ｍ１，Ｍ１Ａ  一次側モジュール
Ｍ２，Ｍ２Ｂ  二次側モジュール
ｎ    ＤＣ電源
ｏ    一次側コイル
ｐ    送電回路
ｐ１  金属異物検出回路
ｐ２  釣竿着脱検出回路
ｐ３  送電制御回路
ｐ４  昇圧降圧回路
ｑ    二次側コイル
ｒ    受電回路
ｒ１  位置検出回路
ｒ２  充電状態検出回路
ｒ３  給電制御回路
ｓ    充電制御回路
ｔ    バッテリ（リチウムイオンバッテリ）
Ｖ，ＶＢ  バッテリモジュール
ｗ    バッテリコード
【図１】
2011062155.tif 000003
【図２】
2011062155.tif 000004
【図３】
2011062155.tif 000005
【図４】
2011062155.tif 000006
【図５】
2011062155.tif 000007
【図６】
2011062155.tif 000008
【図７】
2011062155.tif 000009